(57)【要約】【課題】インターネットに接続された利用者端末からの指令に従いＷｅｂサイトを構築するＷｅｂサイト構築システムにおいて、一人の利用者が種類の異なる複数のＷｅｂサイトを構築して各Ｗｅｂサイトを容易に管理できるようにする。【解決手段】ＡＳＰサービス管理サーバ２には、利用者からの指令に従い種類の異なるＷｅｂサイトを構築する複数のアプリケーションソフトが備えられており、利用者ＤＢ３に登録された利用者がサーバ２にログインすると、サービスマネージャ２１がサービス管理メニューを送信し、このメニューにより所望のサービスが選択されると、そのサービスに対応したアプリケーションソフトが起動して、利用者が使用できるようになる。また、各アプリケーションメニューにて構築されたＷｅｂサイトは、対応するマネージャ２２、３２に管理され、更に各Ｗｅｂサイトの会員に対しては、ブログが自動で提供される。【選択図】図２
2008003922.tif 000002
【特許請求の範囲】
【請求項１】
インターネットを介してアクセス可能なコンピュータシステムにて構成され、インターネットに接続された利用者端末からの指令に従いＷｅｂサイトを構築する複数種類のＷｅｂサイト構築手段を備えたＷｅｂサイト構築システムであって、
予め登録された利用者から前記利用者端末を介してＷｅｂサイト構築手段の利用要求を受けると、該利用要求を送信してきた利用者端末に対して、前記複数のＷｅｂサイト構築手段の管理画像を送信し、該管理画像に従い前記利用者端末からＷｅｂサイト構築手段の選択指令を受けると、該指令に対応したＷｅｂサイト構築手段を起動して、該利用者端末によるＷｅｂサイト構築手段の使用を許可するサービス管理手段を備え、
該サービス管理手段は、使用を許可したＷｅｂサイト構築手段を使って利用者によりＷｅｂサイトが構築されると、そのＷｅｂサイトをインターネット上に公開して該Ｗｅｂサイトに対するインターネット端末からのアクセスを管理するＷｅｂサイト管理手段を生成することを特徴とするＷｅｂサイト構築システム。
【請求項２】
前記サービス管理手段は、前記Ｗｅｂサイトを構築した利用者から前記利用者端末を介して情報のダウンロード要求を受けると、該利用者により構築されたＷｅｂサイトにて得られた情報のうち、該ダウンロード要求に対応した情報を、該情報に対応するＷｅｂサイト管理手段から取得し、該取得した情報を、利用者が前記利用者端末を介して指定してきたデータ配列となるように、データをカンマで区切って並べたＣＳＶファイルに変換し、該ＣＳＶファイルを前記利用者端末に送信することを特徴とする請求項１に記載のＷｅｂサイト構築システム。
【請求項３】
前記各Ｗｅｂサイト構築手段は、それぞれ、Ｗｅｂサイトにアクセスしてきたインターネット端末からの要求に従い会員登録及び該登録会員に対する特定のサービスを行うＷｅｂサイトを構築可能であり、
前記各Ｗｅｂサイト管理手段は、管理対象となるＷｅｂサイトと同じ利用者により構築された他のＷｅｂサイトとの間で、登録会員を共用するか否かを設定可能に構成され、登録会員の共用が設定されている場合には、当該Ｗｅｂサイトに登録された登録会員に加えて、登録会員の共用が設定された他のＷｅｂサイトに登録された登録会員に対しても、前記特定のサービスを行うことを特徴とする請求項１又は請求項２に記載のＷｅｂサイト構築システム。
【請求項４】
前記Ｗｅｂサイト管理手段は、管理対象となるＷｅｂサイトに前記インターネット端末を介して会員登録がなされると、該登録会員毎に、登録会員が掲載情報を書換可能な登録会員専用のブログを構築してインターネット上に公開するブログ構築／管理手段を生成することを特徴とする請求項３に記載のＷｅｂサイト構築システム。
【請求項５】
前記Ｗｅｂサイト構築手段の一つは、Ｗｅｂサイトとしてオンラインショップを構築するためのものであり、
当該Ｗｅｂサイト構築システムは、更に、
予めポータルサイトの構築が許可された利用者から、利用者端末を介して、商品の仲介サービスを行うポータルサイトの構築要求を受けると、前記オンラインショップ構築用のＷｅｂサイト構築手段を使って構築されたオンラインショップを管理しているＷｅｂサイト管理手段から、ポータルサイトに掲載可能な商品情報を取得して、ポータルサイトの構築要求を送信してきた利用者端末に送信し、該利用者端末から掲載したい商品情報が指定されると、該商品情報を掲載したポータルサイトを構築して、インターネット上に公開し、当該ポータルサイトによる商品の販売状況を管理するポータルサイト構築／管理手段、
を備えたことを特徴とする請求項１〜請求項４の何れかに記載のＷｅｂサイト構築システム。
【発明の詳細な説明】
【技術分野】
【０００１】
本発明は、インターネットを介してアクセス可能なコンピュータシステムにて構成され、インターネットに接続された利用者端末からの指令に従いＷｅｂサイトを構築するＷｅｂサイト構築システムに関する。
【背景技術】
【０００２】
従来より、インターネットに接続された利用者端末からの指令に従い、利用者のホームページやオンラインショップ等のＷｅｂサイトを構築するアプリケーションソフトを備え、そのアプリケーションソフトにて構築されたＷｅｂサイトをインターネット上に公開して保守管理する、ＡＳＰ（Ａｐｐｌｉｃａｔｉｏｎ  Ｓｅｒｖｉｃｅ  Ｐｒｏｖｉｄｅｒ）と呼ばれるサービスプロバイダが知られている（例えば、特許文献１、２等参照）。
【０００３】
この種のサービスプロバイダは、インターネットを介してアクセス可能なコンピュータシステムを、サービス提供サーバとしてインターネットに接続することにより実現され、利用者へのアプリケーションソフトの貸与、利用者が構築したＷｅｂサイトの管理、といったＷｅｂサイト構築用のサービスは、そのコンピュータシステムの処理動作によって自動で行われることから、利用者は、利用者個人のホームページやオンラインショップを簡単且つ安価に構築して運用することができる。
【特許文献１】特開２００２−２１５５１７号公報
【特許文献２】特開２００４−３８７５７号公報
【発明の開示】
【発明が解決しようとする課題】
【０００４】
しかしながら、上述したＷｅｂサイト構築サービスを行う従来のサービス提供サーバは、ホームページ、オンラインショップ、といった特定の種類のＷｅｂサイトを構築するものであったことから、一人の利用者が、ホームページ、オンラインショップ、ブログ（Ｂｌｏｇ）、といった種類の異なるＷｅｂサイトを構築して管理するには、各Ｗｅｂサイトに対応したサービス提供サーバにアクセスしなければならず、Ｗｅｂサイトの構築及びその管理が面倒であるという問題があった。
【０００５】
本発明は、こうした問題に鑑みなされたものであり、インターネットに接続された利用者端末からの指令に従いＷｅｂサイトを構築するＷｅｂサイト構築システムにおいて、一人の利用者が種類の異なる複数のＷｅｂサイトを構築して各Ｗｅｂサイトを容易に管理できるようにすることを目的とする。
【課題を解決するための手段】
【０００６】
かかる目的を達成するためになされた請求項１に記載の発明は、インターネットを介してアクセス可能なコンピュータシステムにて構成され、インターネットに接続された利用者端末からの指令に従いＷｅｂサイトを構築する複数種類のＷｅｂサイト構築手段を備えたＷｅｂサイト構築システムであって、
予め登録された利用者から前記利用者端末を介してＷｅｂサイト構築手段の利用要求を受けると、該利用要求を送信してきた利用者端末に対して、前記複数のＷｅｂサイト構築手段の管理画像を送信し、該管理画像に従い前記利用者端末からＷｅｂサイト構築手段の選択指令を受けると、該指令に対応したＷｅｂサイト構築手段を起動して、該利用者端末によるＷｅｂサイト構築手段の使用を許可するサービス管理手段を備え、
該サービス管理手段は、使用を許可したＷｅｂサイト構築手段を使って利用者によりＷｅｂサイトが構築されると、そのＷｅｂサイトをインターネット上に公開して該Ｗｅｂサイトに対するインターネット端末からのアクセスを管理するＷｅｂサイト管理手段を生成することを特徴とする。
【０００７】
また、請求項２に記載の発明は、請求項１に記載のＷｅｂサイト構築システムにおいて、前記サービス管理手段は、前記Ｗｅｂサイトを構築した利用者から前記利用者端末を介して情報のダウンロード要求を受けると、該利用者により構築されたＷｅｂサイトにて得られた情報のうち、該ダウンロード要求に対応した情報を、該情報に対応するＷｅｂサイト管理手段から取得し、該取得した情報を、利用者が前記利用者端末を介して指定してきたデータ配列となるように、データをカンマで区切って並べたＣＳＶ（Ｃｏｍｍａ  Ｓｅｐａｒａｔｅｄ  Ｖａｌｕｅｓ）ファイルに変換し、該ＣＳＶファイルを前記利用者端末に送信することを特徴とする。
【０００８】
次に、請求項３に記載の発明は、請求項１又は請求項２に記載のＷｅｂサイト構築システムにおいて、前記各Ｗｅｂサイト構築手段は、それぞれ、Ｗｅｂサイトにアクセスしてきたインターネット端末からの要求に従い会員登録及び該登録会員に対する特定のサービスを行うＷｅｂサイトを構築可能であり、
前記各Ｗｅｂサイト管理手段は、管理対象となるＷｅｂサイトと同じ利用者により構築された他のＷｅｂサイトとの間で、登録会員を共用するか否かを設定可能に構成され、登録会員の共用が設定されている場合には、当該Ｗｅｂサイトに登録された登録会員に加えて、登録会員の共用が設定された他のＷｅｂサイトに登録された登録会員に対しても、前記特定のサービスを行うことを特徴とする。
【０００９】
また、請求項４に記載の発明は、請求項３に記載のＷｅｂサイト構築システムにおいて、前記Ｗｅｂサイト管理手段は、管理対象となるＷｅｂサイトに前記インターネット端末を介して会員登録がなされると、該登録会員毎に、登録会員が掲載情報を書換可能な登録会員専用のブログを構築してインターネット上に公開するブログ構築／管理手段を生成することを特徴とする。
【００１０】
また次に、請求項５に記載の発明は、請求項１〜請求項４の何れかに記載のＷｅｂサイト構築システムにおいて、Ｗｅｂサイト構築手段の一つは、Ｗｅｂサイトとしてオンラインショップを構築するためのものであり、当該Ｗｅｂサイト構築システムは、更に、
予めポータルサイトの構築が許可された利用者から、利用者端末を介して、商品の仲介サービスを行うポータルサイトの構築要求を受けると、前記オンラインショップ構築用のＷｅｂサイト構築手段を使って構築されたオンラインショップを管理しているＷｅｂサイト管理手段から、ポータルサイトに掲載可能な商品情報を取得して、ポータルサイトの構築要求を送信してきた利用者端末に送信し、該利用者端末から掲載したい商品情報が指定されると、該商品情報を掲載したポータルサイトを構築して、インターネット上に公開し、当該ポータルサイトによる商品の販売状況を管理するポータルサイト構築／管理手段、
を備えたことを特徴とする。
【発明の効果】
【００１１】
請求項１に記載のＷｅｂサイト構築システムによれば、利用者が利用者端末を使ってインターネット経由で利用可能なＷｅｂサイト構築手段が複数種類設けられており、利用者端末からＷｅｂサイト構築手段の利用要求が送信されてくると、サービス管理手段が、その複数のＷｅｂサイト構築手段の管理画像を送信し、その後、利用者端末からＷｅｂサイト構築手段の選択指令を受けると、その指令に対応したＷｅｂサイト構築手段を起動して、利用者端末によるＷｅｂサイト構築手段の使用を許可する。
【００１２】
そして、このサービス管理手段が使用を許可したＷｅｂサイト構築手段を使って利用者によりＷｅｂサイトが構築されると、サービス管理手段が、そのＷｅｂサイトに対応したＷｅｂサイト管理手段を生成し、そのＷｅｂサイト管理手段が、そのＷｅｂサイトをインターネット上に公開して、そのＷｅｂサイトに対するインターネット端末からのアクセスを管理する。
【００１３】
このため、本発明のＷｅｂサイト構築システムによれば、利用者は、ホームページ、オンラインショップ、といった複数種類のＷｅｂサイトを簡単に構築（若しくは変更）することができると共に、各Ｗｅｂサイトの管理も簡単に行うことができる。
【００１４】
次に、請求項２に記載のＷｅｂサイト構築システムによれば、Ｗｅｂサイトを構築した利用者から利用者端末を介して情報のダウンロード要求が送信されてくると、サービス管理手段が、利用者により構築されたＷｅｂサイトにて得られた情報のうち、ダウンロード要求に対応した情報を、対応するＷｅｂサイト管理手段から取得し、その取得した情報をデータをカンマで区切って並べたＣＳＶファイルに変換して、利用者端末に送信する。また、サービス管理手段が、利用者端末に送信するＣＳＶファイルを生成する際には、ＣＳＶファイルのデータ配列を、利用者が利用者端末を介して指定してきたデータ配列に設置する。
【００１５】
このため、利用者は、利用者自身が構築したホームページやオンラインショップで得られる情報（例えば、会員データ、商品データ、受注データ等）を、各種データ処理ソフトで読み込み可能なＣＳＶファイルとしてダウンロードすることができ、しかも、そのＣＳＶファイルのデータ配列を、利用者自身が任意に設定できる。
【００１６】
従って、利用者は、ＣＳＶファイルのデータ配列を、利用者が所有するデータ処理ソフトに対応して設定すれば、ダウンロードしたＣＳＶファイルを加工することなく、そのデータ処理ソフトで読み込み、処理することができるようになる。
【００１７】
つまり、本発明のＷｅｂサイト構築システムによれば、利用者がＷｅｂサイトからダウンロードした情報を使い勝手を向上することができる。
また次に、請求項３に記載のＷｅｂサイト構築システムによれば、Ｗｅｂサイト管理手段が、管理対象となるＷｅｂサイトと同じ利用者により構築された他のＷｅｂサイトとの間で、登録会員を共用するか否かを設定できるようになっている。
【００１８】
そして、Ｗｅｂサイト管理手段は、登録会員の共用が設定されていれば、管理対象となるＷｅｂサイトに登録された登録会員だけでなく、登録会員の共用が設定された他のＷｅｂサイトに登録された登録会員に対しても、登録会員用の特定のサービスを行う。
【００１９】
このため、本発明のＷｅｂサイト構築システムによれば、互いに異なるＷｅｂサイトであっても、Ｗｅｂサイトを構築した利用者が同じで、登録会員を共用することが設定されているＷｅｂサイト間では、登録会員を共用することができる。
【００２０】
よって、例えば、一人の利用者によりホームページとオンラインショップとが構築され、オンラインショップで登録会員の共用が設定されている場合、ホームページに会員登録したものは、ホームページと同じ認証情報（ＩＤ／パスワード等）を使って、オンラインショップにログインし、オンラインショップが提供する登録会員に対するサービスを享受することができるようになる。
【００２１】
また、このように、種類の異なる（換言すればＵＲＬが異なる）Ｗｅｂサイト間で会員データなどを統合するには、通常、高度かつ高額なシステム（セッションの維持）を構築する必要があるが、本発明では、一つのＷｅｂサイト構築システム内に、各Ｗｅｂサイトの管理手段を設けているので、会員データの共有を極めて簡単に行うことができるようになり、こうした会員データの共有サービスを、利用者に低コストで提供することが可能になる。
【００２２】
次に、請求項４に記載のＷｅｂサイト構築システムによれば、Ｗｅｂサイト管理手段は、管理対象となるＷｅｂサイトに前記インターネット端末を介して会員登録がなされると、その登録会員毎に、登録会員が掲載情報を書換可能な登録会員専用のブログを構築してインターネット上に公開するブログ構築／管理手段を生成する。
【００２３】
従って、当該Ｗｅｂサイト構築システムにて構築されたＷｅｂサイト（ホームページやオンラインショップ）の会員は、極めて簡単にブログ主催者となって所望の情報を公開することができるようになり、Ｗｅｂサイトのオーナ（つまり当該Ｗｅｂサイト構築システムの利用者）は、会員に対する特定のサービスとして、ブログの構築サービスを行うことができる。
【００２４】
また次に、請求項５に記載のＷｅｂサイト構築システムには、ポータルサイトとして所謂ショッピングモールを構築して管理するためのポータルサイト構築／管理手段が設けられている。
【００２５】
そして、このポータルサイト構築／管理手段は、予めポータルサイトの構築が許可された利用者から、利用者端末を介して、商品の仲介サービスを行うポータルサイト（つまりショッピングモール）の構築要求を受けると、Ｗｅｂサイト構築手段を使って構築されたオンラインショップを管理しているＷｅｂサイト管理手段から、ポータルサイトに掲載可能な商品情報を取得して、ポータルサイトの構築要求を送信してきた利用者端末に送信し、その利用者端末から掲載したい商品情報が指定されると、その商品情報を掲載したポータルサイトを構築して、インターネット上に公開し、その構築したポータルサイトによる商品の販売状況を管理する。
【００２６】
このため、本発明のＷｅｂサイト構築システムによれば、利用者は、利用者端末を使ってショッピングモールを簡単に構築することができ、しかも、そのショッピングモールには、当該Ｗｅｂサイト構築システムにて構築されたオンラインショップで販売している商品を掲載することができるので、オンラインショップのオーナは、商品の販路を広げることができる。よって、本発明によれば、商品を販売しようとする利用者に対するサービスを向上することができる。
【発明を実施するための最良の形態】
【００２７】
以下に本発明の実施形態について説明する。
図１は、本発明が適用されたインターネットサービスサイトの構成を表す説明図であり、図２は、このインターネットサービスサイトの機能を説明する説明図である。
【００２８】
図１（ａ）に示すように、本実施形態のインターネットサービスサイトには、ＡＳＰサービス管理サーバ２と、ショッピングモール管理サーバ４と、コミュニティモール管理サーバ６とからなる３つのインターネットサーバが設けられており、これら各サーバ２、４、６は、内部ネットワーク８を介して互いに通信可能に接続されると共に、セキュリティ確保のための所定のファイアウォール９を介して、外部のインターネットに接続されている。
【００２９】
上記各管理サーバ２、４、６は、それぞれ、図１（ｂ）に例示するように、ＭＰＵ１１、ＲＯＭ１２、ＲＡＭ１３、ハードディスク（ＨＤＤ）１４、表示装置１５、入力装置（マウスやキーボード等）１６、通信装置１７等からなるコンピュータシステムにて構成されており、インターネット経由で利用者端末から送信されてくる指令に従い各種サービスを行う。
【００３０】
まず、ＡＳＰサービス管理サーバ２は、ホームページ構築用ソフト、オンラインショップ構築用ソフト、ホームページやオンラインショップでの予約管理用のソフト、グループウェア、といった、各種ＡＳＰ用のアプリケーションソフトを一括管理して、利用者がインターネット経由でこれら各アプリケーションソフトを利用できるようにし、更に、これらのソフトを使って構築されたＷｅｂサイト（ホームページやオンラインショップ）をインターネット上に公開して、その管理を行うためのものであり、図２に示すように、アプリケーションソフトを利用可能な利用者の情報（ＩＤ、パスワード、住所、氏名、口座番号、等）が登録された利用者データベース３を備える。
【００３１】
なお、この利用者データベース３を始め、図２に示す各部（データベースやマネージャ）は、各管理サーバ２、４、６の機能を表している。つまり、図２に示す各種データベース（以下、単にＤＢと記載する）は、対応する管理サーバ２、４、６を構成しているハードディスク（ＨＤＤ）１４内に構築され、図２に示す各種管理システム及びマネージャは、ＭＰＵ１１がハードディスク（ＨＤＤ）１４に記憶されたプログラムを実行することにより実現される。
【００３２】
そして、ＡＳＰサービス管理サーバ２は、利用者ＤＢ３に登録された利用者毎に、上述した各種アプリケーションソフトを管理するための利用者管理システム２０を構築する。
この利用者管理システム２０は、インターネット経由で当該管理サーバ２に利用者がログインした際に、利用者が所望のアプリケーションソフトを選択して使用するための各種メニュー画像を送信することで、利用者に対しアプリケーションソフトの利用案内を行うサービスマネージャ２１と、利用者が各アプリケーションソフトを使って生成若しくは更新したデータを管理する各アプリケーション用マネージャとからなる。
【００３３】
また、このアプリケーション用マネージャには、ホームページ構築用ソフト及びオンラインショップ構築用ソフトによって生成若しくは更新されたＷｅｂサイト構築用のデータを管理するホームページマネージャ２２及びショップマネージャ３２と、上述したグループウェアや予約管理用ソフトよって生成若しくは更新された各アプリケーションデータを管理するグループウェアマネージャ及び予約管理マネージャとがある。
【００３４】
このうち、ホームページマネージャ２２及びショップマネージャ３２は、単に利用者により作成されたＷｅｂサイト構築用のデータ（サイトＤＢ２３、３３）を管理するだけでなく、これら各サイトＤＢ２３、３３に基づきホームページやオンラインショップを立ち上げインターネット上に公開してインターネット端末からのアクセスを管理する、Ｗｅｂサイトの運用制御も実行する。
【００３５】
また、ホームページマネージャ２２及びショップマネージャ３２は、ホームページ若しくはオンラインショップへのアクセス者から会員登録の要求を受けると、その登録要求者から個人情報（住所、氏名、口座番号、等）を取得して、登録要求者に対し当該Ｗｅｂサイト専用のＩＤ及びパスワードを発行し、これら各情報を登録会員の情報としてホームページ会員ＤＢ（以下、ＨＰ会員ＤＢという）２４及びショップ会員ＤＢ３４に登録する。
【００３６】
そして、ホームページマネージャ２２及びショップマネージャ３２は、利用者側からブログサービスが設定されている場合には、会員ＤＢ２４或いはショップ会員ＤＢ３４に登録した登録会員毎に、その会員専用のブログを構築すると共に、その構築したブログのデータをブログＤＢ２７、３７としてデータベース化して管理するブログマネージャ２６、３６を生成する。なお、ブログマネージャ２６、３６は、ブログＤＢ２７、３７に基づきブログをインターネット上に公開し、インターネット端末からのアクセスを管理する者である。
【００３７】
次に、ショッピングモール管理サーバ４及びコミュニティモール管理サーバ６は、電子商取引仲介サービスを行うショッピングモール、或いは、インターネット上のブログの紹介サービスを行うコミュニティモールを、利用者端末からインターネット経由で送信されてくる指令に従い構築し、その構築したショッピングモール或いはコミュニティモールをインターネット上に公開して、任意のインターネット端末からのアクセスを可能にするものであり、図２に示すように、これら各サーバ４、６を利用可能な利用者の情報（ＩＤ、パスワード、住所、氏名、口座番号、等）が登録された利用者ＤＢ５、７を備える。
【００３８】
そして、これら各モール管理サーバ４、６は、利用者ＤＢ５、７に登録された利用者毎に、ショッピングモール或いはコミュニティモールを管理するためのショッピングモール管理システム４０、コミュニティモール管理システム６０を構築する。
【００３９】
なお、これら各モール管理システム４０、６０は、利用者からの指令に従いショッピングモール或いはコミュニティモールを構築してインターネット上に公開し、その運用を管理するモールマネージャ（ショッピングモールマネージャ４２、コミュニティモールマネージャ６２）を中心に構成され、これらモールマネージャ４２、６２により、モールの構造（換言すればサイト構造）やモールの運用状態が記憶されたサイトＤＢ４４、６４、モールに掲載する商品若しくはブログが記憶された掲載情報ＤＢ（掲載商品ＤＢ４６、掲載ブログＤＢ）４６、６６が生成される。
【００４０】
次に、上述した各管理サーバ２、４、６の動作を、フローチャートを用いて説明する
まず、図３に示す利用者登録処理は、ＡＳＰサービス管理サーバ２において、インターネット端末から利用者の登録が要求されたときに実行される処理であり、この処理が開始されると、Ｓ１１０（Ｓはステップを表す）にて、登録要求してきたインターネット端末に対して、利用者登録用の書式である利用者登録フォームを送信する。
【００４１】
そして、続くＳ１２０では、インターネット端末から、その登録フォームに書き込んだ登録情報（住所、氏名、口座番号、等の利用者の個人情報）が送信されてきたか否かを判断することにより、登録情報が送信されてくるのを待ち、登録情報を受信すると、Ｓ１３０に移行して、この登録情報を送信してきたインターネット端末に対して、利用者固有のＩＤとパスワードを発行し、続くＳ１４０にて、このＩＤ及びパスワードを利用者の登録情報と共に利用者ＤＢ３に書き込む。
【００４２】
またこのように、利用者ＤＢ３に新規の利用者情報を登録すると、Ｓ１５０に移行して、その新規登録した利用者に対する利用者管理システム２０を生成する。具体的には、ＨＤＤ１４に利用者専用の記憶領域を確保し、上述したサービスマネージャ２１、ホームページマネージャ２２、ショップマネージャ３２等の機能をＭＰＵ１１で実現するのに必要な利用者固有のパラメータや、ホームページ、オンラインショップ用のＵＲＬ、といった利用者固有の初期データを記憶する。そして、このように新規登録した利用者に対する利用者管理システム２０を生成すると、当該利用者登録処理を終了する。
【００４３】
次に、図３に示すＡＳＰサービス管理処理は、インターネット端末から利用者ＩＤ及びパスワードが送信されてきたときに、ＡＳＰサービス管理サーバ２にて実行される処理であり、この処理が開始されると、まず、Ｓ２１０にて、インターネット端末から送信されてきた利用者ＩＤ及びパスワードが利用者ＤＢ３に登録された正規のものであるか否か判定する、利用者の認証処理を実行する。
【００４４】
そして、この認証処理にて、利用者ＩＤ及びパスワードは正規のものではないと判断されると、当該ＡＳＰサービス管理処理を終了し、利用者ＩＤ及びパスワードは正規のものである（認証ＯＫ）と判断されると、Ｓ２２０に移行して、サービスマネージャ２１としての処理を開始する。
【００４５】
すなわち、まずＳ２２０では、今回認証した利用者端末に対して、ホームページやオンラインショップの更新、グループウェアに対するデータの書き込み、予約管理用データの編集、或いは、各種データのダウンロード、といった当該サーバで提供可能な各種サービスを選択させるサービス管理メニュー（メニュー画像）を送信する。
【００４６】
そして、続くＳ２３０にて、そのサービス管理メニューに対応して利用者端末からサービスの選択指令が送信されてくるのを待ち、利用者端末からサービスの選択指令が送信されてくると、Ｓ２４０に移行して、その選択されたサービスに対応したアプリケーションソフトを起動し、続くＳ２５０にて、利用者が選択したサービスは、そのアプリケーションソフトを用いた各種データの編集であるか否かを判断する。
【００４７】
Ｓ２５０にて、利用者が選択したサービスはデータの編集であると判断すると、続くＳ２６０に移行して、利用者にアプリケーションソフトを使用させて各種データを編集させるデータ編集処理を実行し、このデータ編集処理が終了すると、Ｓ２７０に移行して、データ編集処理の結果に従いアプリケーションＤＢ（今回使用されたアプリケーションソフトがホームページ構築用ソフトであればサイトＤＢ２３、同じくアプリケーションソフトがオンラインショップ構築用ソフトであればサイトＤＢ３３）を更新する。
【００４８】
そして、アプリケーションＤＢの更新後は、Ｓ３３０にて、利用者端末から当該ＡＳＰサービス管理サーバ２への接続が遮断されたか否かを判断し、接続が遮断されていれば、Ｓ２１０にて認証した利用者に対するサービスは完了したとして、当該ＡＳＰサービス管理処理を終了し、逆に、利用者端末が当該ＡＳＰサービス管理サーバ２に接続されていれば、再度Ｓ２２０に移行する。
【００４９】
次に、Ｓ２５０にて、利用者が選択したサービスはデータ編集ではないと判断されると、Ｓ２８０に移行して、利用者が選択したサービスは、アプリケーションソフトを用いて収集可能な各種データのダウンロードであるか否かを判断する。
【００５０】
そして、使用者が選択したサービスがデータのダウンロードでなければ、Ｓ３３０に移行し、使用者が選択したサービスがデータのダウンロードであれば、Ｓ２９０に移行して、ダウンロード可能なデータの選択メニューを利用者端末に送信し、その選択メニューに基づき利用者がダウンロードすべきデータを選択するのを待つ。
【００５１】
なお、利用者がダウンロードすることのできるデータとしては、アプリケーションソフトがグループウェアや予約管理用のソフトであれば、これら各アプリケーションソフトによって生成／更新されたデータであり、アプリケーションソフトがホームページ或いはオンラインショップ構築用のソフトであれば、このアプリケーションソフトを使って生成／更新されるデータに加え、これら各Ｗｅｂサイトの運用時に得られる会員データやＷｅｂサイトへのアクセス状況を表す管理データが含まれることになる。
【００５２】
また次に、選択メニューの送信により利用者がダウンロードすべきデータを選択すると、Ｓ３００に移行して、利用者端末に対して、ダウンロードするデータの順序を編集するか否かを問い合わせ、利用者端末からダウンロードするデータの順序を編集するとの返信があれば、Ｓ３１０に移行して、アプリケーションソフトを介して送信すべきデータの項目を取得し、利用者端末からの指令に従い各項目のダウンロードの順序を編集する編集処理を実行する。
【００５３】
つまり、本実施形態では、利用者端末がデータのダウンロードを要求してきたときには、その要求されたデータを、データをカンマで区切って並べたＣＳＶファイルに変換して利用者端末に送信するようにされており、Ｓ３００、Ｓ３１０では、このＣＳＶファイルのデータ配列を、利用者の好みに応じて任意に設定できるようにしているのである。
【００５４】
そして、このように、Ｓ３１０によるデータ順序編集処理が実行されるか、或いは、Ｓ３００にて、データ順序の編集はしないと判断されると、Ｓ３２０に移行して、使用者により選択されたデータを、データ順序編集処理にて設定されたデータ順序若しくは予め設定されたデータ順序でＣＳＶファイルに変換して、利用者端末に送信し、Ｓ３３０に移行する。
【００５５】
なお、Ｓ２６０のデータ編集処理は、Ｓ２４０にて起動したアプリケーションソフトを使用者がインターネット経由で使用することにより実行される処理であるが、そのアプリケーションソフトがＷｅｂサイト構築用のソフトである場合、本実施形態では、利用者がＷｅｂサイトのメニュー及びサブメニューを生成すると、メニュー毎及びメニューの下位属性となるサブメニュー毎に、利用者が自由に編集可能なページ（ＨＴＭＬ又はＨＴＭ、ＰＨＰ、ＡＳＰ、ＪＳＰの各ファイル）を自動生成するようにされている。
【００５６】
このため、利用者は、ＨＴＭＬ又はＨＴＭ、ＰＨＰ、ＡＳＰ、ＪＳＰの各ファイルなどを作成して、ＦＴＰプロトコルによりサーバへデータを転送しなくても、メニュー登録するだけで、ＨＴＭＬ又はＨＴＭ、ＰＨＰ、ＡＳＰ、ＪＳＰファイルをサーバ上に生成でき、詳しい技術の無いユーザーでも、簡単にＷｅｂサイトを構築できる。
【００５７】
また、このＷｅｂサイト構築用ソフトは、ホームページ若しくはオンラインショップに会員登録する際の登録フォームや、オンラインショップにおける注文フォームや見積書の受付登録フォームを、利用者端末からの指令によって自由に編集できるようになっている。
【００５８】
また、Ｗｅｂサイト構築用ソフトのうち、特にオンラインショップ構築用ソフトは、商品の配送先の入力画面に、複数の配送先を入力でき、しかも、その商品の包装に使用する包装紙を指定したり、「のし」を貼り付けるか否かを指定したりすることができるようにされている。
【００５９】
また、オンラインショップ構築用ソフトは、オンラインショップで出荷地を登録しておき、商品毎に出荷地を割り当て、同じ商品でも出荷地が違うことによって、商品価格や送料を変えて販売することができるようにされている。このため、同じ商品でも出荷する倉庫が違うショップ等で、送料を可変することができ、大変便利である。
【００６０】
また更に、オンラインショップ構築用ソフトは、オンラインショップとして、パーソナルコンピュータ等の据置型インターネット端末用のメインのオンラインショップを構築すると、その構築したオンラインショップに対応して、携帯電話等の携帯型インターネット端末用のオンラインショップを自動生成する機能を有し、メインのオンラインショップに登録した商品を選択するだけで、その商品を携帯端末用のオンラインショップに陳列できるようにされている。
【００６１】
また、このオンラインショップ構築用ソフトには、２次元バーコードの生成機能が付与されており、その生成した２次元バーコードの表示場所を選択するだけで、オンラインショップの任意の場所に、２次元バーコードを表示できるようにされている。このため、オンラインショップのＷｅｂサイト内だけでなく、納品伝票や請求書、領収書、などの印刷物にも２次元バーコードを印刷して発行できるようになる。
【００６２】
次に、図４に示す会員登録処理及び会員サービス管理処理は、ホームページマネージャ２２或いはショップマネージャ３２としての機能を実現するために、ＡＳＰサービス管理サーバ２内に構築された利用者のＷｅｂサイト（ホームページやオンラインショップ）毎に実行される処理である。
【００６３】
このうち、会員登録処理は、管理対象となるＷｅｂサイト（ホームページ又はオンラインショップ）に、インターネット端末から会員登録の要求がなされたときに起動される。そして、この処理が起動されると、Ｓ５１０にて、会員登録を要求してきたインターネット端末に対して、会員登録用の書式である会員登録フォームを送信し、続くＳ５２０にてそのインターネット端末から、登録フォームに書き込んだ登録情報（住所、氏名、口座番号、等の会員の個人情報）が送信されてきたか否かを判断することにより、登録情報が送信されてくるのを待つ。
【００６４】
そして、Ｓ５２０にて、登録情報を受信すると、Ｓ５３０に移行して、この登録情報を送信してきたインターネット端末に対して、会員用のＩＤとパスワードを発行し、続くＳ５４０にて、このＩＤ及びパスワードを会員の登録情報と共に会員ＤＢ（詳しくはＨＰ会員ＤＢ２４又はショップ会員ＤＢ３４）に書き込む。
【００６５】
また、このように、会員ＤＢ２４又は３４に新規の会員登録を行うと、Ｓ５５０に移行して、その新規登録した会員のブログを構築して、そのブログデータをブログＤＢ２７又は３７に書き込み、この会員のブログを管理するブログマネージャ２６、３６を生成する。そして、このように新規登録した会員に対するブログを構築すると、当該会員登録処理を終了する。なお、Ｓ５５０のブログ構築処理は、管理対象となるＷｅｂサイトのサービスとしてブログサービスが設定されていない場合には、実行されない。
【００６６】
一方、図４に示す会員サービス管理処理は、管理対象となるＷｅｂサイト（会員のホームページ又はオンラインショップ）に対し、インターネット端末から会員ＩＤ及びパスワードが送信されてきたときに実行される処理であり、この処理が開始されると、まず、Ｓ６１０にて、当該Ｗｅｂサイト（ホームページ又はオンラインショップ）と同じ利用者が構築したもう一つのＷｅｂサイト（オンラインショップ又はホームページ）とで登録会員を共用するように設定されているか否かを判断する。
【００６７】
つまり、本実施形態では、図３に示したＡＳＰサービス管理処理におけるＳ２６０のデータ編集処理にて利用者がＷｅｂサイト（ホームページ又はオンラインショップ）のデータを編集しているときに、その編集中のＷｅｂサイト（ホームページ又はオンラインショップ）とは別のＷｅｂサイト（オンラインショップ又はホームページ）と会員を共用するか否かを設定できるようにされており、６１０では、その利用者による会員共用の設定状態を判定するのである。
【００６８】
そして、Ｓ６１０にて登録会員の共用が設定されていると判断されると、Ｓ６２０に移行し、会員認証に用いる会員ＤＢとして、ＨＰ会員ＤＢ２４とショップ会員ＤＢ３４との両方を選択し、逆に、Ｓ６１０にて登録会員の共用が設定されていないと判断されると、Ｓ６３０に移行し、会員認証に用いる会員ＤＢとして、管理対象となるＷｅｂサイトの会員ＤＢ（ＨＰ会員ＤＢ２４又はショップ会員ＤＢ３４）のみを選択する。
【００６９】
そして、続くＳ６４０では、インターネット端末から送信されてきた会員ＩＤ及びパスワードが、Ｓ６２０又はＳ６３０にて今回選択された会員ＤＢ内に登録されているか否かを判断することにより、会員の認証処理を実行し、この認証処理にて、利用者ＩＤ及びパスワードが、Ｓ６２０又はＳ６３０にて選択された会員ＤＢに登録されていないと判断されると、Ｓ６９０に移行し、逆に、利用者ＩＤ及びパスワードがＳ６２０又はＳ６３０にて選択された会員ＤＢに登録されていると判断されると、Ｓ６５０に移行する。
【００７０】
そして、Ｓ６５０では、今回認証した会員に対して、Ｗｅｂサイトで会員に対して行っているサービスの選択メニュー（メニュー画像）を送信して、会員のインターネット端末からサービスの選択指令が送信されてくるのを待つ。
【００７１】
そして、会員のインターネット端末からサービスの選択指令が送信されてくると、Ｓ６６０にて、その選択指令は、ブログサービスの選択指令であるか、他のサービスの選択指令であるかを判断し、選択指令がブログサービスの選択指令であれば、Ｓ６７０にて、会員が自己のブログのデータを更新するためのブログ管理処理を実行して、Ｓ６９０に移行する。また、選択指令が他のサービスの選択指令であれば、Ｓ６８０にて、その選択された会員サービスを実行し、Ｓ６９０に移行する。
【００７２】
そして、Ｓ６９０では、今回認証した会員のインターネット端末から当該ＡＳＰサービス管理サーバ２への接続が遮断されたか否かを判断し、接続が遮断されていれば、Ｓ６４０にて認証した会員に対するサービスは完了したとして、当該会員サービス管理処理を終了し、逆に、会員のインターネット端末が当該ＡＳＰサービス管理サーバ２に接続されていれば、再度Ｓ６５０に移行する。
【００７３】
次に、図５に示す利用者登録処理及びモール管理処理は、ショッピングモール管理サーバ４若しくはコミュニティモール管理サーバ６において、利用者毎にショッピングモール若しくはコミュニティモールを管理するショッピングモールマネージャ４２若しくはコミュニティモールマネージャ６２としての機能を実現するために実行される処理である。
【００７４】
そして、このうち、利用者登録処理は、ショッピングモール管理サーバ４若しくはコミュニティモール管理サーバ６において、インターネット端末から利用者の登録が要求されたときに実行される処理であり、この処理が開始されると、Ｓ７１０にて、登録要求してきたインターネット端末に対して、利用者登録用の書式である利用者登録フォームを送信する。
【００７５】
そして、続くＳ７２０では、インターネット端末から、その登録フォームに書き込んだ登録情報（住所、氏名、口座番号、等の利用者の個人情報）が送信されてきたか否かを判断することにより、登録情報が送信されてくるのを待ち、登録情報を受信すると、Ｓ７３０に移行して、この登録情報を送信してきたインターネット端末に対して、利用者固有のＩＤとパスワードを発行し、続くＳ７４０にて、このＩＤ及びパスワードを利用者の登録情報と共に利用者ＤＢ５又は７に書き込む。
【００７６】
またこのように、利用者ＤＢ５又は７に新規の利用者情報を登録すると、Ｓ７５０に移行して、その新規登録した利用者に対するショッピングモール管理システム４０又はコミュニティモール管理システム６０を生成する。具体的には、ＨＤＤ１４に利用者専用の記憶領域を確保し、上述したショッピングモールマネージャ４２若しくはコミュニティモールマネージャ６２としての機能をＭＰＵ１１で実現するのに必要なパラメータやＵＲＬの初期値を記憶する。そして、このように新規登録した利用者に対するショッピングモール管理システム４０又はコミュニティモール管理システム６０を生成すると、当該利用者登録処理を終了する。
【００７７】
次に、図５に示すモール管理処理は、インターネット端末から利用者ＩＤ及びパスワードが送信されてきたときに、ショッピングモール管理サーバ４若しくはコミュニティモール管理サーバ６にて実行される処理であり、この処理が開始されると、まず、Ｓ８１０にて、インターネット端末から送信されてきた利用者ＩＤ及びパスワードが利用者ＤＢ５又は７に登録された正規のものであるか否か判定する、利用者の認証処理を実行する。
【００７８】
そして、この認証処理にて、利用者ＩＤ及びパスワードは正規のものではないと判断されると、当該モール管理処理を終了し、利用者ＩＤ及びパスワードは正規のものである（認証ＯＫ）と判断されると、Ｓ８２０に移行して、今回認証した利用者端末に対して、ショッピングモール若しくはコミュニティモールのサイト構成の更新、ショッピングモール若しくはコミュニティモールに掲載する掲載情報の更新、ショッピングモール若しくはコミュニティモールからのデータのダウンロード、といったモール管理用サービスを選択させるモール管理メニュー（メニュー画像）を送信する。
【００７９】
そして、続くＳ８３０では、そのモール管理メニューに対応して利用者端末から掲載情報の選択指令が送信されてきたか否かを判断し、掲載情報の選択指令が送信されてきた場合には、Ｓ８４０に移行して、ＡＳＰサービス管理サーバ２から、ショッピングモール若しくはコミュニティモールに掲載可能な情報を取得する。
【００８０】
この掲載可能情報は、モール管理処理がショッピングモール管理サーバ４にて実行されている場合には、ＡＳＰサービス管理サーバ２が利用者毎に管理しているオンラインショップの商品情報となり、モール管理処理がコミュニティモール管理サーバ６にて実行されている場合には、ＡＳＰサービス管理サーバ２が利用者毎に管理しているＷｅｂサイトの会員のブログ情報となる。
【００８１】
そして、このようにＳ８４０にて、ＡＳＰサービス管理サーバ２から掲載可能を取得すると、続くＳ８５０に移行して、その取得した掲載可能情報をカテゴリ別に分類し、Ｓ８６０にて、その分類したカテゴリ毎に掲載可能情報の選択メニューを生成して、利用者端末に送信し、Ｓ８７０に移行する。
【００８２】
Ｓ８７０では、Ｓ８６０で送信した選択メニューに従い利用者端末からショッピングモール若しくはコミュニティモールに掲載する商品若しくはブログの設定指令が送信されてくるのを受け付ける掲載情報設定処理を実行し、この掲載情報設定処理にて、ショッピングモール若しくはコミュニティモールに掲載する情報が確定すると、Ｓ８８０に移行して、その確定した掲載情報に従い、掲載商品ＤＢ４６若しくは掲載ブログＤＢ６６を更新し、Ｓ８９０に移行する。
【００８３】
そして、掲載商品ＤＢ４６若しくは掲載ブログＤＢ６６の更新後は、Ｓ８９０にて、利用者端末から当該モール管理サーバ４又は６への接続が遮断されたか否かを判断し、接続が遮断されていれば、Ｓ８１０にて認証した利用者に対するサービスは完了したとして、当該モール管理処理を終了し、逆に、利用者端末が当該モール管理サーバ４又は６に接続されていれば、再度Ｓ８２０に移行する。
【００８４】
次に、Ｓ８３０にて、利用者端末から掲載情報の選択指令が送信されていないと判断されると、Ｓ９００に移行して、利用者端末からショッピングモール若しくはコミュニティモールのサイト構造の編集指令が送信されてきたか否かを判断する。そして、サイト構造の編集指令が送信されてきていれば、Ｓ９１０に移行し、サイト構造編集用のアプリケーションソフトを起動して、利用者端末からの指令に従いサイト構造を編集するサイト構造編集処理を実行する。そして、このサイト構造編集処理にて、サイト構造が編集されると、その編集結果に従い、サイトＤＢ４４又は６４を更新し、Ｓ８９０に移行する。
【００８５】
また、Ｓ９００にて、利用者端末からサイト構造の編集指令が送信されていないと判断された場合には、Ｓ９３０に移行して、利用者端末からデータのダウンロード指令が送信されてきたか否かを判断する。そして、利用者端末からダウンロード指令が送信されていなければ、そのままＳ８９０に移行し、利用者端末からダウンロード指令が送信されていれば、Ｓ９４０にて、利用者端末からの指令に従い利用者端末に送信すべきデータを選択して、送信するデータ送信処理を実行した後、Ｓ８９０に移行する。
【００８６】
なお、Ｓ９４０で実行されるデータ送信処理は、図３に示したＳ２９０〜Ｓ３２０と同様の手順で実行される。
以上説明したように、本実施形態のインターネットサービスサイトには、ホームページやオンラインショップ、更には、携帯機用オンラインショップ、といった各種Ｗｅｂサイトを利用者からの指令に従い構築して運用するＡＳＰサービス管理サーバ２が設けられている。
【００８７】
そして、このＡＳＰサービス管理サーバ２では、利用者からのサービスの要求を受け付けるサービスマネージャ２１が利用者毎に生成され、利用者は、このサービスマネージャ２１から提供されるサービス管理メニューに従い、所望のサービスを選択すれば、そのサービスに対応したアプリケーションソフトを使用できる。
【００８８】
このため、本実施形態のインターネットサービスサイトによれば、利用者は、ホームページ、オンラインショップ、といった複数種類のＷｅｂサイトを簡単に構築（若しくは変更）することができ、そのＷｅｂサイトの管理も簡単に行うことができる。
【００８９】
また、ＡＳＰサービス管理サーバ２では、一人の利用者が構築したＷｅｂサイト間（つまりホームページとオンラインショップとの間）で、各サイトの会員を共用するか否かを設定できるようになっており、各Ｗｅｂサイト間で会員の共用が設定されている場合には、一方のＷｅｂサイトの会員は、そのＷｅｂサイト用のＩＤ及びパスワードを利用して、他方のＷｅｂサイトにログインして、そのＷｅｂサイトの会員としてサービスを受けることができるようになる。
【００９０】
また、本実施形態のインターネットサービスサイトでは、利用者からデータのダウンロード要求を受けると、その要求されたデータをＣＳＶファイルに変換して利用者端末に送信するようにされており、しかも、そのＣＳＶファイルのデータ配列は、利用者が利用者端末を介して任意に設定できる。
【００９１】
このため、利用者は、そのＣＳＶファイルのデータ配列を、利用者が所有するデータ処理ソフトに対応して設定すれば、ダウンロードしたＣＳＶファイルを加工することなく、そのデータ処理ソフトで読み込み、処理することができるようになる。
【００９２】
また、本実施形態では、ＡＳＰサービス管理サーバ２で利用者が構築したＷｅｂサーバ（ホームページ、オンラインショップ）においては、登録会員に対するブログが自動で生成されることから、そのＷｅｂサーバを構築した利用者は、Ｗｅｂサーバの会員に対するブログサービスを極めて簡単に行うことができるようになり、ホームページやオンラインショップの会員を増加させることができる。
【００９３】
また、本実施形態のインターネットサービスサイトには、利用者からの指令に従い、ショッピングモールやコミュニティモールを構築して運用するためのショッピングモール管理サーバ４及びコミュニティモール管理サーバ６が設けられている。
【００９４】
そして、これら各モール管理サーバ４、６では、利用者がショッピングモールやコミュニティモールを構築する際に、ＡＳＰサービス管理サーバ２が管理しているＷｅｂサイトから商品やブログ情報を取得して、掲載することができるので、ショッピングモールやコミュニティモールを極めて容易に構築することができるようになる。
【００９５】
なお、本実施形態においては、ＡＳＰサービス管理サーバ２が本発明のＷｅｂサイト構築システムに相当し、図３に示すＡＳＰサービス管理処理（換言すればサービスマネージャ２１）が本発明のサービス管理手段に相当し、このＡＳＰサービス管理処理にて起動されＳ２６０のデータ編集処理を実行するＷｅｂサイト構築用のアプリケーションソフトがＷｅｂサイト構築手段に相当し、図４に示す会員サービス管理処理（換言すればホームページマネージャ２２，ショップマネージャ３２）が本発明のＷｅｂサイト管理手段に相当し、図４に示すＳ５５０及びＳ６７０の処理がブログ構築／管理手段に相当し、ショッピングモール管理サーバ４が本発明のポータルサイト構築／管理手段に相当する。
【００９６】
以上、本発明の一実施形態について説明したが、本発明は、上記実施形態に限定されるものではなく、本発明の要旨を逸脱しない範囲内にて、種々の態様を採ることができる。
例えば、ＡＳＰサービス管理サーバ２には、利用者からの指令に従い構築されたＷｅｂサイト（ホームページ、オンラインショップ、携帯機用オンラインショップ、ブログ、ショッピングモール）のページや各サイトの印刷物に対し、任意の広告を掲載して管理する広告管理機能を付与してもよい。
【００９７】
また、ホームページやオンラインショップに求人情報を掲載した際に、この求人情報が他の求人求職サイトに自動で掲載されるようにしてもよい。そして、このためには、ＡＳＰサービス管理サーバ２と同じインターネットサービスサイト内に、求人求職サイトを構築すれば、求人情報のやりとりを簡単に行うことができるので、便利である。
【図面の簡単な説明】
【００９８】
【図１】実施形態のインターネットサービスサイトの構成を表す説明図である。
【図２】実施形態のインターネットサービスサイトの機能を説明する説明図である。
【図３】ＡＳＰサービス管理サーバで実行される利用者登録処理及びＡＳＰサービス管理処理を表すフローチャートである。
【図４】ＡＳＰサービス管理サーバで実行される会員登録処理及び会員サービス管理処理を表すフローチャートである。
【図５】ショッピングモール及びコミュニティモールの管理サーバで実行される会員登録処理及びモール管理処理を表すフローチャートである。
【符号の説明】
【００９９】
２…ＡＳＰサービス管理サーバ、３…利用者ＤＢ、４…ショッピングモール管理サーバ、５…利用者ＤＢ、６…コミュニティモール管理サーバ、７…利用者ＤＢ、８…内部ネットワーク、９…ファイアウォール、１１…ＭＰＵ、１２…ＲＯＭ、１３…ＲＡＭ、１４…ＨＤＤ、１５…表示装置、１６…入力装置、１７…通信装置、２０…利用者管理システム、２１…サービスマネージャ、２２…ホームページマネージャ、２３…サイトＤＢ、２４…ＨＰ会員ＤＢ、２６…ブログマネージャ、２７…ブログＤＢ、３２…ショップマネージャ、３３…サイトＤＢ、３４…ショップ会員ＤＢ、３６…ブログマネージャ、３７…ブログＤＢ、４０…ショッピングモール管理システム、４２…ショッピングモールマネージャ、４４…サイトＤＢ、４６…掲載商品ＤＢ、６０…コミュニティモール管理システム、６２…コミュニティモールマネージャ、６４…サイトＤＢ、６６…掲載ブログＤＢ。
【図１】
2008003922.tif 000003
【図２】
2008003922.tif 000004
【図３】
2008003922.tif 000005
【図４】
2008003922.tif 000006
【図５】
2008003922.tif 000007